(57)【要約】【課題】化粧をする際に、顔の構成要素の何処に、どのような色彩の化粧品を施すべきかを容易に理解させることがき、ひいては自然の色彩（ナチュラルカラー）に基づいた化粧を行うことができる化粧用シート等を提供する。【解決手段】紙又は樹脂により成形されてなるシート本体と、このシート本体に花の名前及び／又は花の写真が表示された花表示部７，８と、この花表示部７，８の近傍に配置され該花表示部７，８により特定された花を構成する複数の色によりそれぞれ着色された着色部１０ａ〜１０ｋからなる着色部群１０と、を備えてなる。【選択図】  図２
2013022763.tif 000002
【特許請求の範囲】
【請求項１】
紙又は樹脂により成形されてなるシート本体と、このシート本体に花の名前及び／又は花の写真が表示された花表示部と、この花表示部の近傍に配置され該花表示部により特定された花を構成する複数の色によりそれぞれ着色された着色部からなる着色部群と、を備えてなることを特徴とする化粧用シート。
【請求項２】
前記着色部群は、化粧の基本となる色と、化粧のポイントとなる色と、陰影に使用される色とがそれぞれ表示されてなるとともに、これらの色が上記化粧の基本となる色、化粧のポイントとなる色、陰影に使用される色であることを示す文字が表示されてなることを特徴とする請求項１記載の化粧用シート。
【請求項３】
前記花表示部又は着色部群の近傍には、該着色部群を構成する着色部の色を使用して化粧をした人の顔写真が表示されていることを特徴とする請求項１又は２記載の何れかの化粧用シート。
【請求項４】
前記着色部群とは別個に、第２の着色部群が配置され、この第２の着色部群は、前記着色部群を構成する色と同じ色であって該着色部群の色の数よりも少ない複数の色からなるとともに、該第２の着色部群を構成する各色には、それぞれ化粧が施される場所又は用途が明示されていることを特徴とする請求項１，２又は３記載の化粧用シート。
【請求項５】
前記請求項１ないし４記載の何れかの化粧用シートが複数ファイルされてなるか又は製本されてなることを特徴とする化粧用冊子。
【請求項６】
前記請求項１ないし４記載の何れかの化粧用シートを構成する前記花表示部、前記着色部群、前記化粧の基本となる色、前記化粧のポイントとなる色、前記陰影に使用される色であることを示す文字、前記着色部群を構成する着色部の色を使用して化粧をした人の顔写真、又は前記第２の着色部群が電子情報としてコンピュータにより読出し可能に記録されてなることを特徴とする情報記録媒体。
【発明の詳細な説明】
【技術分野】
【０００１】
本発明は、化粧を行う際に使用される化粧用シート又は化粧用冊子若しくは記録媒体（化粧用シート等という。）に関し、特に、草花等の自然色（ナチュラルカラー）に基づいて化粧を行う際に使用される化粧用シート等に関するものである。
【背景技術】
【０００２】
これまで化粧方法は、様々な方法が採用されてきたが、基本的には色を顔の中でどのように使用するかという問題である。こうした色の使い方に関しては、これまで「ロバート・ドア氏」がウォーム色（暖色）とクール色（寒色）なる言葉を使用しながら、それを理論立てた方法や、さらにこれを化粧に応用した化粧方法がある（「ロバート・ドアメソッドによるパーソナリティーピグメンとメイクアップ上に於けるユニバーサルカラーコーディネートとの相関性」（日本色彩学会誌  ２９（４）,３６０−３６１，２００５−１２−０１））。その後、こうしたロバート・ドア氏とは異なり、自然の色との調和を求めた独自の理論が、「樽本正弘氏」により展開された（この理論の一部は、特許文献１を参照）。同氏は、植物の生育に欠かせない要素を、「エアロ」、「ソル」、「アクア」という言葉を用いて特定し、「エアロの緑」、「ソルの赤」、「アクアのピンク」等というように色彩を視覚的に特定し、それぞれの色をＪＩＳ標準色票との関係で特定している（例えば、「ソルの赤がＪＩＳ標準色票５Ｒ  ４／１４」と言うように特定している）。
【先行技術文献】
【特許文献】
【０００３】
【特許文献１】特許第３６５９８６２号公報
【発明の概要】
【発明が解決しようとする課題】
【０００４】
ところで、こうした樽本正弘氏による色彩の特定方法（ないし配色決定方法）を元にしながら、該方法により特定された色に基づく化粧方法を行いたいと言う要求が高い。すなわち、特定の花をイメージした自然の色彩（ナチュラルカラー）に基づいた化粧方法を行いたいとの要求が高い。
【０００５】
しかしながら、上記樽本正弘氏による色彩の特定方法は存在し、また、それを理解したとしても、それに基づいて自然の色彩（ナチュラルカラー）に基づいた化粧を行うことを望む人は、頬や目その他、顔の構成要素の何処に、どのような色彩の化粧品を施すべきかを容易に理解することができない。
【０００６】
そこで、本発明は、上述した事情に鑑みて提案されたものであって、化粧をする際に、顔の構成要素の何処に、どのような色彩の化粧品を施すべきかを容易に理解させることがき、ひいては自然の色彩（ナチュラルカラー）に基づいた化粧を行うことができる化粧用シート等を提供することを目的とするものである。
【課題を解決するための手段】
【０００７】
本発明は、上記課題を解決するために提案されたものであって、第１の発明（請求項１記載の発明）は、化粧用シートに係るものであって、紙又は樹脂により成形されてなるシート本体と、このシート本体に花の名前及び／又は花の写真が表示された花表示部と、この花表示部の近傍に配置され該花表示部により特定された花を構成する複数の色によりそれぞれ着色された着色部からなる着色部群と、を備えてなることを特徴とするものである。
【０００８】
先ず、上記第１の発明に係る化粧用シートを構成する花表示部は、例えば、「白バラ」等のように、花の名前を表示するか又はその花の写真を表示するか、或いは該名前と写真とを表示するものである。また、この花表示部の近傍に配置された上記着色部は、該花表示部により特定された花を構成する複数の色によりそれぞれ着色されたものである。花は、花弁、雄しべ、雌しべ等から構成されており、それらにはそれぞれ一種類又は複数種類の色から構成されており、それらの色が上記着色部群に表示されている。
【０００９】
したがって、上述した第１の発明に係る化粧用シートによれば、上記着色部群に着色された複数の色を参考に、自然の色彩（ナチュラルカラー）に基づいた化粧を行うことができる。
【００１０】
また、第２の発明（請求項２記載の発明）は、上記第１の発明において、前記着色部群は、化粧の基本となる色と、化粧のポイントとなる色と、陰影に使用される色とがそれぞれ表示されてなるとともに、これらの色が上記化粧の基本となる色、化粧のポイントとなる色、陰影に使用される色であることを示す文字が表示されてなることを特徴とするものである。
【００１１】
上記第２の発明では、化粧の基本となる色と、化粧のポイントとなる色と、陰影に使用される色とがそれぞれ表示されてなるとともに、これらの色が上記化粧の基本となる色、化粧のポイントとなる色、陰影に使用される色であることを示す文字が表示されてなることから、より上述した化粧を容易に行うことができる。
【００１２】
また、第３の発明（請求項３記載の発明）は、上記第１又は第２の発明の何れかにおいて、前記花表示部又は着色部群の近傍には、該着色部群を構成する着色部の色を使用して化粧をした人の顔写真が表示されていることを特徴とするものである。
【００１３】
この第３の発明では、上記前記着色部の色を使用して化粧をした人の顔写真が表示されていることから、化粧を行おうとする者にとって、より一層化粧方法を良く理解できるようになる。
【００１４】
また、第４の発明（請求項４記載の発明）は、前記着色部群とは別個に、第２の着色部群が配置され、この第２の着色部群は、前記着色部群を構成する色と同じ色であって該着色部群の色の数よりも少ない複数の色からなるとともに、該第２の着色部群を構成する各色には、それぞれ化粧が施される場所又は用途が明示されていることを特徴とするものである。
【００１５】
上記第４の発明では、着色部群と第２の着色部群とが構成要素とされている。着色部群と第２の着色部群とは、色は共通するが、その色の数は、第２の着色部群の方が少なく、さらに、該第２の着色部群を構成する各色には、それぞれ化粧が施される場所又は用途が明示されている。例えば、第２の着色部群は、全部で４つの色（第１ないし第４の着色部）から構成され、該第２の着色部群の近傍には、化粧が施される場所としての「肌」の文字が表示され、第２の着色部群の近傍には、化粧が施される場所としての「唇」の文字が表示され、第３の着色部の近傍には、化粧が施される場所としての「目」の文字が表示され、第４の着色部の近傍には、化粧の用途としての「陰影」の文字が表示されている場合を挙げることができる。こうした第４の発明に係る化粧用シートによれば、着色部（色）の数が少ない第２の着色部群を利用することにより、簡易で迅速な化粧を行うことができる。
【００１６】
また、第５の発明（請求項５記載の発明）は、化粧用冊子に係るものであって、前記第１ないし第４の発明の何れかの化粧用シートが複数ファイルされてなるか又は製本されてなることを特徴とするものである。
【００１７】
また、第６の発明は、情報記録媒体に係るものであって、前記第１ないし第４の発明に係る何れかの化粧用シートを構成する前記花表示部、前記着色部群、前記化粧の基本となる色、前記化粧のポイントとなる色、前記陰影に使用される色であることを示す文字、前記着色部群を構成する着色部の色を使用して化粧をした人の顔写真、又は前記第２の着色部群が電子情報としてコンピュータにより読出し可能に記録されてなることを特徴とするものである。
【００１８】
上記第６の発明に係る情報記録媒体による場合であっても、前記第１ないし第５の発明と同じ作用効果を奏することができる。
【発明の効果】
【００１９】
上記第１の発明（請求項１記載の発明）に係る化粧用シートでは、花表示部の近傍に配置され該花表示部により特定された花を構成する複数の色によりそれぞれ着色された着色部からなる着色部群を備えていることから、着色部群に着色された複数の色を参考に、自然の色彩（ナチュラルカラー）に基づいた化粧を行うことができる。
【００２０】
また、第２の発明（請求項２記載の発明）に係る化粧用シートでは、化粧の基本となる色と、化粧のポイントとなる色と、陰影に使用される色とがそれぞれ表示されてなるとともに、これらの色が上記化粧の基本となる色、化粧のポイントとなる色、陰影に使用される色であることを示す文字が表示されてなることから、上述した化粧をより容易に行うことができる。
【００２１】
また、第３の発明（請求項３記載の発明）係る化粧用シートでは、上記前記着色部の色を使用して化粧をした人の顔写真が表示されていることから、化粧を行おうとする者にとって、より一層化粧方法を良く理解できるようになる。
【００２２】
また、第４の発明（請求項４記載の発明）に係る化粧用シートでは、前記着色部群とは別個に、第２の着色部群が配置され、この第２の着色部群は、前記着色部群を構成する色と同じ色であって該着色部群の色の数よりも少ない複数の色からなるとともに、該第２の着色部群を構成する各色には、それぞれ化粧が施される場所又は用途が明示されていることから、着色部（色）の数が少ない該第２の着色部群を利用することにより、簡易で迅速な化粧を行うことができる。
【００２３】
また、第５の発明（請求項５記載の発明）に係る化粧用冊子では、第１ないし第４の発明の何れかの化粧用シートが複数ファイルされてなるか又は製本されてなることから、複数の化粧用シートの中から特定の花に関する化粧用シートを選択し、その花に対応した化粧を行うことができる。
【００２４】
また、第６の発明（請求項６記載の発明）に係る情報記録媒体では、パーソナルコンピュータ等を使用することにより、花表示部や着色部群等を読出し、モニター等の表示装置にそれらを写し出して化粧をすることができる。
【図面の簡単な説明】
【００２５】
【図１】複数の化粧用シートがファイルされた冊子が開かれた状態を示す斜視図である。
【図２】化粧用シートの一例を示す平面図である。
【図３】化粧用シートが製本された状態を示す斜視図である。
【図４】パーソナルコンピュータやモニター等を示す模式図である。
【発明を実施するための形態】
【００２６】
以下、本発明を実施するための最良の形態を、図面を参照しながら詳細に説明する。先ず、第１の実施の形態に係る化粧用冊子１について説明する。
【００２７】
この実施の形態に係る化粧用冊子１は、図１に示すように、リングファイル２と、このリングファイル２にファイルされている化粧用シート３とから構成されている。上記リングファイル２は、長方形状に成形された表表紙２ａと、背表紙２ｂと、上記表表紙２ａと同じ面積とされた裏表紙２ｃと、上記背表紙２ｂの近傍に固定された（４つの）リング４とから構成されている。上記各リング４は、文字通りリング状に成形されているが、円弧状にそれぞれ成形された部材の端部が支軸を介して連結されてなるものであり、該連結された部位とは反対側の端部同士が離間及び連結自在とされている。
【００２８】
一方、上記化粧用シート３は、長方形状をなしたシート状に成形されてなるものであり、図示しない紙のシート本体（符号は省略する。）の表面に熱可塑性樹脂（符号は省略する。）によりより全体がラミネートされてなるものである。そして、この化粧用シート３は、図２に示すように、略Ａ４版の面積からなるものであり、左側には、上記４つのリング４が挿通される挿通穴３ａが開設されている。そして、この化粧用シート３の左上には、「バラメイク」の文字６が印刷（表示）され、この文字６の下方には、「黄金色の黄色い薔薇」の文字７が印刷（表示）されている。そして、上記「黄金色の黄色い薔薇」の文字７の下方には、後述する「しっかりメイクの色彩」の文字８が印刷され、その下側には、バラの花表示写真９が印刷されている。上記「バラメイク」の文字６、「黄金色の黄色い薔薇」の文字７及びバラの花表示写真９は、本発明を構成する花表示部である。
【００２９】
そして、上記花表示部としてのバラの花表示写真９の近傍（左側）には、第１の着色部群１０が表示（印刷）されている。この第１の着色部群１０は、概ね３行４列からなる表として構成されてなり、最も左側に形成された列には、４つの着色部１０ａ〜１０ｄが形成されている。また、この列に形成された４つの着色部１０ａ〜１０ｄの右隣には、４つの着色部１０ｅ〜１０ｈが形成されている。また、上記着色部１０ｅ，１０ｆの右隣には、着色部１０ｉ，１０ｊが形成され、上記着色部１０ｈの右隣には、着色部１０ｋが形成されている。
【００３０】
上記各着色部１０ａ〜１０ｋに着色された色は、上記「黄金色の黄色い薔薇」に備えられた色である。そして、上記着色部１０ａの上方には、「基本色」の文字１０ｍが印刷され、その右隣であって上記着色部１０ｅの上方には、「ポイント色」の文字１０ｎが印刷されている。またさらに、上記「ポイント色」の文字１０ｎの左隣であって上記着色部１０ｉの上方には、「陰影色」の文字１０ｐが印刷されている。また、上記着色部１０ｊと着色部１０ｋとの間には、「ポイントスパイス色」の文字１０ｑが印刷されている。
なお、上記「基本色」の文字１０ｍは、本発明を構成する「化粧の基本となる色」であることを示す文字であり、上記「ポイント色」の文字１０ｎは、本発明を構成する「化粧のポイントとなる色」であることを示す文字であり、上記「陰影色」の文字１０ｐは、「陰影に使用される色」であることを示す文字である。
【００３１】
すなわち、この実施の形態に係る化粧用冊子１を構成する化粧用シート３では、上記「基本色」の文字１０ｍの下方に、複数の着色部１０ａ〜１０ｄが配置され、上記「ポイント色」の文字１０ｎの下方にも、複数の着色部１０ｅ〜１０ｈが配置され、上記「陰影色」の文字１０ｐの下方にも、複数の着色部１０ｉ，１０ｊが配置されている。上記各着色部（符号は省略する。）には、上述したように、花（この実施の形態の場合は、黄金色の黄色い薔薇）を構成する色が表示されている。但し、全てに着色されている必要なない。
【００３２】
そして、上記バラの花表示写真９の上方には、「しっかりメイクの色彩」の文字８が印刷され、該バラの花表示写真９の下方には、「スピードポイントメイクの色彩」の文字１３が印刷されている。そして、上記「スピードポイントメイクの色彩」の文字１３の左側には、長方形状の４つの着色部１４ａ〜１４ｄからなる第２の着色部群１４が印刷（表示）されている。上記着色部１４ａは、先に説明した着色部１０ｂと同一の色が表示され、上記着色部１４ｂは、先に説明した着色部１０ａと同一の色が表示され、上記着色部１４ｃは、先に説明した着色部１０ｉと同一の色が表示され、さらに、上記着色部１４ｄは、先に説明した着色部１０ｅと同一の色が表示されている。
【００３３】
そして、上記着色部１４ａの上方には、「アイメイク」の文字１４ｅが、上記着色部１４ｂの上方には、「肌」の文字１４ｆが、そして、上記着色部１４ｃの上方には「陰影」の文字１４ｇが、また、上記着色部１４ｄの上方には「唇」の文字１４ｈが、それぞれ印刷されている。
【００３４】
またさらに、上記第１の着色部群１０の近傍には、第１の女性の顔写真１５が印刷されている。この第１の女性の顔写真１５は、上記第１の着色部群１０を構成する着色部（に表示された色）に基づいて化粧を行った女性の写真である。すなわち、この第１の女性の顔写真１５は、上記基本色の文字１０ｍの下方に配置された各着色部１０ａ〜１０ｄの何れか１つ又は複数の色を基本色として使用し、ポイント色の文字１０ｎの下方に配置された幾つかの着色部１０ｅ〜１０ｈの何れか１つ又は複数の色をポイント色として使用し、陰影色の文字１０ｐの下方に配置された着色部１０ｉ，１０ｊの何れかの色を陰影色として使用し、さらにポイントスパイス色の文字１０ｑの下方に配置された着色部１０ｋの色を部分的に使用して化粧を行った後の写真である。
【００３５】
また、上記第２の着色部群１４の近傍には、第２の女性の顔写真１６が印刷されている。この第２の女性の顔写真１６は、上記第２の着色部群１４を構成する着色部（に表示された色）に基づいて化粧を行った女性の写真である。すなわち、この第２の女性の顔写真１６は、着色部１４ａの色を使用してアイメイク（目の周辺の化粧）を行い、着色部１４ｂの色を使用して肌の化粧（ファンデーション）を行い、陰影は着色部１４ｃの色を行い、唇は着色部１４ｄの色を用いて行った後の写真である。
【００３６】
また、この化粧用シート３では、上記第２の着色部群１４の下方には、「樽本正弘氏」により展開された理論に従った「ソル」の文字２１、「エアロ」の文字２２及び「アクア」の文字２３と、がそれぞれ印刷されており、上記「ソル」の文字２１の近傍には、「黄金色の黄色い薔薇」に対応した「ソル」の下地（ファンデーション）の色の着色部２６が表示され、上記「エアロ」の文字２２の近傍には、「黄金色の黄色い薔薇」に対応した「エアロ」の下地（ファンデーション）の色の着色部２７が表示され、「アクア」の文字２３の近傍には、「黄金色の黄色い薔薇」に対応した「アクア」の下地（ファンデーション）の色の着色部２８が表示されている。
【００３７】
また、上記第１の女性の顔写真１５の下方には、「黄金色の黄色い薔薇」に対応したアイライン（目の化粧）の仕方を説明する文書３１と、その説明に基づいて化粧が行われた２つの写真３２，３３が表示され、また、上記文章３１の下方には、化粧を行った後の唇の写真３４と、唇の化粧方法を説明する文章３５が表示されている。
【００３８】
なお、上記化粧用シート３は、上述した文字や写真等（符号は省略する。）が表示ないし印刷されているが、上記リングファイル２にファイルされた化粧用シート３は、それぞれ全て同一ではなく、花の種類によってそれぞれ異なる。
【００３９】
したがって、草花等の自然色（ナチュラルカラー）に基づいて化粧を行うことを希望する者は、上記実施の形態に係る化粧用冊子１にファイルされた複数の化粧用シート３から（特定の草花に係る）特定の化粧用シート３を選択し、上記第１又は第２の着色部群１０，１４や第１又は第２の女性の顔写真１５，１６等を参考としながら、自分で化粧を行うことが可能となる。特に、この実施の形態に係る化粧用冊子１にファイルされた複数の化粧用シート３では、特定の花を構成する色が、第１の着色部群１０として特定されてなるばかりか、「基本色」の文字１０ｍや、「ポイント色」の文字１０ｎ、或いは「陰影色」の文字１０ｐがそれぞれ特定の色（着色部）との関係で明示されていることから、顔のどの部分にどのような色の化粧を行えばよいかを明確に理解することができる。
【００４０】
さらに、上記化粧用シート３では、第１の着色部群１０以外に、第２の着色部群１４が形成され、この第２の着色部群１４を構成する各着色部（符号は省略する。）は、化粧を行う顔の部分との関係では単一の色であることから、簡易且つ迅速に化粧を行うことができる。換言すれば、この実施の形態で説明した化粧用シート３は、入念に化粧をする場合と、簡易に化粧をする場合との両方の使用者に対して、それを選択可能としている。また、上記実施の形態に係る化粧用冊子１は、リングファイル２に化粧用シート３がファイルされているものであることから、適宜必要に応じて化粧用シート３を加えたり除いたりする（又は交換する）ことが可能であるし、また、使用者にとって必要な化粧用シート３のみをファイルすることも可能となる。
【００４１】
なお、上記実施の形態で説明した化粧用シート３は、化粧用冊子１として、リングファイル２にファイルされているものを図示して説明したが、必ずしもこうしたリングファイル２にファイルされている必要性はなく、図３に示すように、書籍４１として綴じられているものであっても良い。この書籍４１は、表表紙４２と背表紙４３と裏表紙４４と、上記表表紙４２と裏表紙４４との間に複数綴じられている化粧用シート４５とから構成されている。こうした形態に係るものであっても、使用者は、複数の化粧用シート４５の中から自己に適合した特定の化粧用シート４５を選び、適宜化粧をすることができる。
【００４２】
さらに、上記化粧用冊子１又は書籍４１とは異なり、上記化粧用シート３（４５）に表示（印刷）された各種の情報が、図４に示すように、例えばコンパクトディスク５６のような記録媒体に電子情報として記録されたものであっても良い。すなわち、この記録媒体であるコンパクトディスク５６は、パーソナルコンピュータ５１を構成するパーソナルコンピュータ本体５２に形成された光学ドライブ５２ａを用いて（操作部であるキーボード５４及びマウス５５を用いて）読出し可能とされてなるものである。上記コンパクトディスク５６から読み出された電子情報を、上記パーソナルコンピュータ本体５２に接続されたディスプレイ（表示装置）５３に表示させることにより、前述した化粧をすることが可能となる。言うまでもなく、本発明において、記録媒体とは、上記コンパクトディスクに限定されることなく、コンピュータにより読出し可能に記録されてなるものであれば、他の媒体であっても良い。
【符号の説明】
【００４３】
１  化粧用冊子
３  化粧用シート
６  「バラメイク」の文字
７  「黄金色の黄色い薔薇」の文字
９  花表示写真
１０  第１の着色部群
１０ｍ  「基本色」の文字
１０ｎ  「ポイント色」の文字
１０ｐ  「陰影色」の文字
１４  第２の着色部群
１４ｅ  「アイメイク」の文字
１４ｆ  「肌」の文字
１４ｇ  「陰影」の文字
１４ｈ  「唇」の文字
１５  第１の女性の顔写真
１６  第２の女性の顔写真
【図１】
2013022763.tif 000003
【図２】
2013022763.tif 000004
【図３】
2013022763.tif 000005
【図４】
2013022763.tif 000006